(57)【特許請求の範囲】
【請求項１】
開口部を隔てて相対向する一対の吊元部にそれぞれ伸縮自在な親扉と子扉を設け、両吊元部間の開口部を前記親扉と前記子扉がそれぞれの吊元部側に向けて互いに反対方向に縮むことによって開くように両開き式に構成するとともに、前記親扉はこれの下部に車輪を設け、且つ該車輪を地面上に敷設したガイドレールでガイドさせながら伸縮開閉するようにし、前記子扉はこれの下方位置にはガイドレールを不存在の状態として伸縮開閉するようにし、前記子扉による開口幅が９００〜１５００ｍｍの範囲内にあり、かつ、前記子扉による開口幅は前記親扉による開口幅よりも小さいことを特徴とする、伸縮門扉。
【請求項２】
前記子扉の下端にはキャスターを取り付けている、請求項１記載の伸縮門扉。
【請求項３】
前記キャスターが首振り自在キャスターである、請求項２記載の伸縮門扉。
【請求項４】
前記子扉の吊元側端は前記吊元部にヒンジを介して水平方向に回転自在に連結している、請求項３記載の伸縮門扉。
【発明の詳細な説明】
【技術分野】
【０００１】
本発明は、伸縮自在なパンタグラフ機構によって構成された伸縮門扉に関し、特に、人、自転車、車椅子利用者等が単独で安全かつスムーズに出入りできる伸縮門扉に関する。
【背景技術】
【０００２】
従来の伸縮門扉として、たとえば、吊元部と戸当り部との間で伸縮式に開閉される扉体の下部に車輪を設け、且つ該車輪を地面上に敷設したガイドレールでガイドさせながら開閉方向に走行させるようにしたものがある（特許文献１参照。）。
【先行技術文献】
【特許文献】
【０００３】
【特許文献１】特許第４２１６１８０号公報
【発明の概要】
【発明が解決しようとする課題】
【０００４】
しかしながら、上記伸縮門扉では、人、自転車、車椅子利用者等が単独で伸縮門扉を開けて出入りするときに、ガイドレールが障害となって通行が安全かつスムーズに行えない、という問題があった。
【課題を解決するための手段】
【０００５】
本発明は、このような問題を解決するためになされたもので、以下のように構成したことを特徴とする。
請求項１に記載の発明は、開口部を隔てて相対向する一対の吊元部にそれぞれ伸縮自在な親扉と子扉を設け、両吊元部間の開口部を前記親扉と前記子扉がそれぞれの吊元部側に向けて互いに反対方向に縮むことによって開くように両開き式に構成するとともに、前記親扉はこれの下部に車輪を設け、且つ該車輪を地面上に敷設したガイドレールでガイドさせながら伸縮開閉するようにし、前記子扉はこれの下方位置にはガイドレールを不存在の状態として伸縮開閉するようにし、前記子扉による開口幅が９００〜１５００ｍｍの範囲内にあり、かつ、前記子扉による開口幅は前記親扉による開口幅よりも小さいことを特徴とするものである。
【０００６】
上記構成によると、伸縮門扉を親扉と子扉を有する両開き式に構成するとともに、子扉の下方位置にはガイドレールを不存在の状態としているので、人、自転車、車椅子利用者等が通行するときは子扉のみ開閉させて通行すればよく、しかも、通行の際にガイドレールが障害となることがないので、人、自転車、車椅子等の通行が安全かつスムーズに行える。
【０００７】
子扉は伸縮させて開閉されるので、人、自転車、車椅子利用者等が子扉を軽い操作力で押したり引いたりしてスムーズに横引き開閉させることができる。他方、親扉は車輪をガイドレールでガイドさせながら伸縮開閉されるので、相対的に大きな親扉の伸縮開閉操作を安定的に行うことができる。
【０００８】
請求項１記載の伸縮門扉は、請求項２に記載のように、前記子扉の下端にはキャスターを取り付けるという構成を採用することができる。これによると、子扉の地上への垂れ下がりを防止できるとともに、子扉吊元部への負荷を減らし、耐久性を向上することができる。
この場合、前記キャスターには固定キャスター或いは首振り自在キャスターを採用することができる。特に、請求項３に記載のように、首振り自在キャスターを採用した場合は、親扉と子扉の接合位置の修正をよりスムーズに行える。
【０００９】
請求項３記載の伸縮門扉は、請求項４に記載のように、前記子扉の吊元側端は前記吊元部にヒンジを介して水平方向に回転自在に連結するという構成を採用することができる。これによると、子扉を縮めた状態で水平回転させて吊元部の前側（内側）に収納できるので、門扉の有効開口幅を大きくすることができる。
【発明の効果】
【００１０】
本発明によれば、人、自転車、車椅子利用者等が通行するときは軽い操作力で伸縮開閉自在な子扉のみ開閉させて通行すればよく、しかも、子扉の下方位置にはガイドレールを不存在にしているので、ガイドレールが通行の障害となることがなく、人、自転車、車椅子等の通行を安全且つスムーズに行えるという利点がある。
【図面の簡単な説明】
【００１１】
【図１】本発明の一実施例の伸縮門扉を全閉状態で示す平面図である。
【図２】同伸縮門扉を全閉状態で示す正面図である。
【図３】同伸縮門扉の子扉を開いて回転収納した状態を示す平面図である。
【図４】同伸縮門扉の子扉を開いて回転収納した状態を示す正面図である。
【図５】他の実施例の伸縮門扉を全閉状態で示す平面図である。
【図６】他の実施例の伸縮門扉を全閉状態で示す正面図である。
【図７】他の実施例の伸縮門扉を全開状態で示す平面図である。
【図８】他の実施例の伸縮門扉を全開状態で示す正面図である。
【図９】他の実施例の伸縮門扉の子扉を開いた状態を示す平面図である。
【図１０】他の実施例の伸縮門扉の子扉を開いた状態を示す正面図である。
【図１１】更に他の実施例の伸縮門扉を全閉状態で示す平面図である。
【図１２】更に他の実施例の伸縮門扉を全閉状態で示す正面図である。
【発明を実施するための形態】
【００１２】
以下、本発明の好適な実施形態を図面に基づき説明する。
【００１３】
図１〜図４に示すように、本発明に係る伸縮門扉１は伸縮自在な親扉２と、親扉２の左右の幅よりも小さい幅を有する伸縮自在な子扉３を、開口部を隔てて相対向する一対の吊元部４，５の間に配置し、両吊元部４，５間の開口部を親扉２と子扉３が反対方向へ縮むことによって両側へ分かれて開くように両開き式に構成している。
本実施例では、一対の吊元部４，５が該箇所に立設された２本の吊元支柱４，５として構成されている場合について説明する。なお、吊元支柱４を削除して、親扉２の吊元側を移動自在とし、ストッパーにより移動規制することもできる。
【００１４】
親扉２は、前後の縦枠６，７を有し且つ吊元支柱４側に位置する吊元側格子枠８と、前後の縦枠６，７を有する移動端側格子枠９と、前後の縦枠６，７を有し且つ吊元側格子枠８と移動端側格子枠９の間に位置する中間格子枠１０とを、それぞれの枠の内側で垂直方向でリンク１１が交差するパンタグラフ機構１２によって連結し、左右方向に伸縮自在に構成してある。
【００１５】
子扉３は、前後の縦枠１３，１４を有し且つ吊元支柱５側に位置する吊元側格子枠（吊元側端）１５と、前後の縦枠１３，１４を有する移動端側格子枠１６と、前後の縦枠１３，１４を有し且つ吊元側格子枠１５と移動端側格子枠１６の間に位置する中間格子枠１７とを、それぞれの枠の内側で垂直方向でリンク１８が交差するパンタグラフ機構１９によって連結し、左右方向に伸縮自在に構成してある。
【００１６】
子扉３の伸長状態時の幅は１３００〜２２００ｍｍ、縮み状態時の幅は４００〜７００ｍｍ、子扉３による開口幅Ｗは、当該箇所で人、自転車、車椅子等（図示省略）の出入りを可能にするように、９００〜１５００ｍｍとするのが好ましい。
【００１７】
子扉３の吊元側格子枠（吊元側端）１５は吊元支柱５にヒンジ２０を介して水平方向に回転自在に連結してあり、子扉３を吊元支柱５側に縮めた状態（図３・図４の破線の状態）でヒンジ２０を介して吊元支柱５回りに水平回転させると、吊元支柱５の前側（内側）に収納できるようにしてある（図３・図４の実線の状態）。
これにより、門扉１の有効開口幅を大きくすることができる。
なお、親扉２の移動端側格子枠９および子扉３の移動端側格子枠１６には、それぞれ把手２１を設けてある。
【００１８】
親扉２の適数か所の中間格子枠１０の各前後の縦枠６，７の下端に車輪２２を設けてあり、地面には各車輪２２を案内する前後二本のガイドレール２３が平行に敷設してある。ガイドレール２３としては、断面溝形のガイドレール（フラットレール）、あるいは断面山形のガイドレール等種々の形態のレールを使用することができる。
【００１９】
他方、図１〜図４に示すように、子扉３の下方位置にはガイドレール２３を不存在の状態として当該箇所の地面が前後に連続して平坦な面をなすようにする。これにより、前記子扉３による開口幅Ｗについてガイドレール２３を不存在とすることができ、人、自転車、車椅子等（図示省略）の通行がスムーズに行えることになる。
【００２０】
子扉３の移動端側の下端には、キャスター２４を取り付ける。本実施例では、キャスター２４として、自在に向きの変わる首振り自在キャスター２４を使用している。これにより、図３に示すように、子扉３をヒンジ２０を介して吊元支柱５回りに水平回転させて収納する際に、キャスター２４もそれに応じて自在に向きが変わるので、収納操作をスムーズに行うことができる。
【００２１】
上記のように構成された伸縮門扉１は、親扉２を車輪２２をガイドレール２３でガイドさせながら伸縮させて開閉方向に走行させ、子扉３を伸縮させて開閉させることにより移動端側格子枠９，１６どうしを突き合わせる全閉状態（図１、図２参照）と、移動端側格子枠９，１６どうしを離間させる全開状態に切り替えることができる。
【００２２】
人、自転車、車椅子利用者等が出入りするときは、図３、図４に示すように、子扉３を開けて出入りすればよく、このとき子扉３の下方位置においてはガイドレール２３を不存在としているので、通行人の足がガイドレール２３に躓いたり、自転車、車椅子等の車輪がガイドレール２３に落ち込んだり、乗り上げたりするようなことがなく、ガイドレール２３が通行の障害となることがないため、人、自転車、車椅子等の通行が安全かつスムーズに行える。
【００２３】
上記実施例では子扉３の下端に首振り自在キャスター２４を取り付けているが、その首振り自在キャスター２４に代えて、図５〜図１０に示すように固定式直進キャスター２４を取り付けてもよい。図５〜図１０に示す実施例において、子扉３をヒンジ２０を介して吊元支柱５回りに水平回転させて収納するという構成を除くその他の構成については、上記実施例のものと同様であるため、同一部材に同一符号を付してその説明を省略する。図５、図６は伸縮門扉の親扉および子扉を全閉した状態で示し、図７、図８は伸縮門扉の親扉および子扉を全開した状態で示し、図９、図１０は伸縮門扉の子扉のみを開いた状態を示している。
【００２４】
また、図１１〜図１２に示すように、子扉３の下端にキャスターを取り付けないものとすることもできる。この場合においても、図１１〜図１２に示す実施例において、その他の構成については、上記実施例のものと同様であるため、同一部材に同一符号を付してその説明を省略する。
なお、図１１〜図１２の実施例では、ヒンジ２０を設けていないが、図１〜４の実施例と同様に、子扉３の吊元側格子枠１５と吊元支柱５との間にヒンジ２０を設けて、子扉３を吊元支柱５回りに水平回転自在に構成してもよい。
【００２５】
さらに、上記各実施例では、親扉２のパンタグラフ機構１２、および子扉３のパンタグラフ機構１９には、それぞれ垂直方向でリンク１１，１８が交差するパンタグラフ機構１２，１９を例示したが、水平方向でリンクが交差するパンタグラフ機構を採用することもできる。
【符号の説明】
【００２６】
１  伸縮門扉
２  親扉
３  子扉
４，５  吊元支柱（吊元部）
２２  車輪
２３  ガイドレール
２４  キャスター
【図１】
0005588732.tif 000002
【図２】
0005588732.tif 000003
【図３】
0005588732.tif 000004
【図４】
0005588732.tif 000005
【図５】
0005588732.tif 000006
【図６】
0005588732.tif 000007
【図７】
0005588732.tif 000008
【図８】
0005588732.tif 000009
【図９】
0005588732.tif 000010
【図１０】
0005588732.tif 000011
【図１１】
0005588732.tif 000012
【図１２】
0005588732.tif 000013